(57)【特許請求の範囲】
【請求項１】
内周部または外周部にＴＯＣ情報が記録されているＴＯＣ領域と、該ＴＯＣ領域の外周部または内周部にメインデータ情報が記録されているデータ領域とを有するディスクを再生するディスク再生装置において、
上記ディスクに記録された情報を読み取るピックアップと、
上記ディスクのＴＯＣ領域に近接して設けられ、上記ピックアップの移動によりＯＮ／ＯＦＦされるリードインスイッチと、
上記ピックアップを上記ディスクの径方向に移動させるピックアップ移動手段と、
上記ピックアップの移動量に応じてパルスを発生させるパルス発生手段と、
上記パルス発生手段により発生されたパルス数をカウントするカウント手段と、
当該ディスク再生装置にディスクが装着されたときに、上記ピックアップがディスクの内周または外周方向へ移動するように、上記ピックアップ移動手段を制御する制御手段と、
不揮発性メモリとを有し、
上記制御手段は、
上記リードインスイッチがＯＮになってから所定パルス数カウントした後、上記ピックアップ移動手段の動作を停止させ、上記ピックアップによりこの位置でのディスク上のアドレス情報を読み取らせ、この読み取ったアドレス情報と予め設定されたＴＯＣ領域内の目標アドレス情報との差を演算し、この差分をパルス数に換算し、該換算により得られた第１の差分パルス数を、上記リードインスイッチがＯＮになってからカウントされた所定パルス数に加減算して、リードインスイッチがＯＮになってから目標アドレスに到達するまでに必要とするパルス数を求め、次回の電源再投入時からはこのパルス数を使用し、電源再投入時に、リードインスイッチがＯＮになってからこのパルス数分だけ上記ピックアップが上記ディスクの内周または外周方向に移動するように、上記ピックアップ移動手段を制御し、
上記不揮発性メモリは、上記ディスクが規格基準のものであるときに、上記制御手段により得られた第１の差分パルス数を保持し、
上記制御手段は、さらに、
当該ディスク再生装置に新たなディスクが装着され、該ディスクを再生する際に、当該ディスク再生装置の電源が投入されると、上記不揮発性メモリに保持された第１の差分パルス数を読み出し、この第１の差分パルス数をもとに、上記リードインスイッチがＯＮになってから上記第１の差分パルス数に上記所定パルス数を加えたパルス数分だけ上記ピックアップ移動手段により上記ピックアップを移動した後、上記ピックアップ移動手段の動作を停止させ、上記ピックアップによりこの位置でのディスク上のアドレス情報を読み取らせ、この読み取ったアドレス情報と予め設定されたＴＯＣ領域内の目標アドレス情報との差を演算し、この差分をパルス数に換算して第２の差分パルス数を求め、この第２の差分パルス数を、上記ディスクが取り出されるまで保持し、このディスクを用いた次回の電源再投入時からこのディスクの移動を、上記第１の差分パルス数と上記第２の差分パルス数とを使用して制御することを特徴とするディスク再生装置。
【請求項２】
上記制御手段は、
当該ディスク再生装置の電源再投入時に、上記リードインスイッチが最初からＯＮになっていた場合、上記ピックアップを、一旦、上記リードインスイッチが、ＯＦＦになるまで上記ディスクの内周または外周方向に一定時間送り、上記リードインスイッチがＯＦＦになったことを確認した後、上記移動方向と逆方向に送るように上記ピックアップ移動手段を制御することを特徴とする請求項１記載のディスク再生装置。
【請求項３】
上記制御手段は、
当該ディスク再生装置の電源再投入時に、上記ピックアップ移動手段により、上記ピックアップを、上記リードインスイッチがＯＮになるまで一定速度で送り、リードインスイッチがＯＮになってから目標アドレスに到達するまでの間、上記ピックアップ移動手段の出力を少しづつ下げ、上記ピックアップが目標アドレスにて正確に停止するように上記ピックアップ移動手段の出力を制御することを特徴とする請求項１または２記載のディスク再生装置。
【請求項４】
上記制御手段は、
当該ディスク再生装置の電源再投入時に、上記ピックアップ移動手段により、上記ピックアップを、上記リードインスイッチがＯＮになってから第１の差分パルス数に第２の差分パルス数を加えたパルス数分カウントする間は一定速度で送り、その後、上記ピックアップが目標アドレスに到達するまでの所定パルス数分カウントする間は上記ピックアップ移動手段の出力を少しづつ下げ、上記ピックアップが目標アドレスにて正確に停止するように上記ピックアップ移動手段の出力を制御することを特徴とする請求項１または２記載のディスク再生装置。
【請求項５】
上記制御手段は、
上記ピックアップ移動手段の出力を下げるときに、上記ピックアップ移動手段の出力を、上記パルス発生手段が発生するパルスに同期させて下げることを特徴とする請求項３または４記載のディスク再生装置。
【発明の詳細な説明】
【０００１】
【発明の属する技術分野】
本発明は、リードインスイッチを有するディスク再生装置において、リードインスイッチの取り付け作業誤差を吸収し、ディスクのＴＯＣ（Ｔａｂｌｅ  Ｏｆ  Ｃｏｎｔｅｎｔｓ  ）領域内に正確にピックアップを止め、ＴＯＣ情報を短時間で読み込み、ディスク再生装置の立ち上げ時間を短縮すると共に、組み立て時間を短縮することができるディスク再生装置に関するものである。
【０００２】
【従来の技術】
オーディオ信号あるいは画像信号などの情報信号を記録したディスクの再生には、ディジタルデータの開始アドレスを全てのディジタルデータについて示すＴＯＣ（Ｔａｂｌｅ  Ｏｆ  Ｃｏｎｔｅｎｔｓ  ）情報が用いられ、例えば曲番の指定により、自動的に、対応する開始アドレスを参照してサーチを行うことにより、所望のディジタルデータを容易に選択的に再生することができるようになっている。
【０００３】
このため、ＴＯＣ情報は、ディスクにおいて、ディジタルデータの再生が開始される以前に再生する必要があり、ディスクがディスク再生装置に装着されると、先ず、ＴＯＣ情報が記録されたＴＯＣ領域のサーチが行われるようになっている。
【０００４】
再生専用装置においては、データを消す虞れがないため、リードインスイッチを設けず、ピックアップの静止位置からディスクのアドレス情報を読み込み、ＴＯＣ領域をサーチしてＴＯＣ情報を読むものもあるが、一般的に、ディスク再生装置の立ち上げ時には、ピックアップの位置が不明であり、ピックアップの位置が不明なところから再生をはじめると、ディスクの規定回転数がわからないため、レーザ照射時間が長くなり、記録データを消去してしまう虞れがある。このため、通常は、記録されたデータを消去する心配がないＴＯＣ領域にピックアップを移動させた後、ディスクを再生し、ＴＯＣ情報を取り出す。
【０００５】
特に、超解像層が設けられているディスクでは、再生するときに、ディスクの再生部が記録層のキュリー点よりも低くかつ超解像層のキュリー点よりも高い温度になるようにレーザパワーを制御しなければならない。したがって、超解像層が設けられているディスクを再生するときには、超解像層を有しないディスクを再生するときよりもレーザパワーが大きくなるため、ピックアップが中途半端な位置で再生状態にしてディスクのアドレス情報を読み取ることはできず、ピックアップをＴＯＣ領域に確実に移動することが必要である。
【０００６】
ＴＯＣ領域は、ディスクのメインデータ情報が記録されているデータ領域の内側または外側のリードイン領域に設けられ、ピックアップがＴＯＣ領域にあることが検出されると、ＴＯＣデータの読み取りを開始するようになっている。
【０００７】
従来、ＴＯＣデータの読み取りには、ディスク再生装置の立ち上げ時にピックアップの位置が不明であるためリードインスイッチを使用し、ピックアップがＴＯＣ領域の例えば始端にあることが検出されるとＴＯＣデータの読み取りを開始するようになっている。このため、リードインスイッチがＯＮするまでスレッドモータにてピックアップを移動し、リードインスイッチがＯＮしたらスレッドモータを止め、該位置でディスクのＴＯＣ情報を読む動作が行われる。
【０００８】
しかしながら、一般的には、上記リードインスイッチの取り付け位置は、当該ディスク再生装置の出荷前に、基準ディスクを再生しながら手動で位置調整を行うことが多い。
【０００９】
このため、上記リードインスイッチの取り付け精度にはばらつきがある。このため、ＴＯＣ領域には、同一の情報が繰り返し記録されてはいるものの、スレッドモータによるピックアップの移動により、ピックアップがＴＯＣ領域内に移動したとしても、ＴＯＣ領域の終端に移動した場合や、ＴＯＣ情報を途中から読み出した場合、残りの情報がそれ以上記録されていない場合は、ＴＯＣ情報が完全に再生さないまま、メインデータ領域のディジタルデータの再生が開始されてしまうことになる。このため、このような場合は、再度移動してＴＯＣ情報を完全に読み出す必要がある。
【００１０】
そこで、例えば、特開昭５９−１２１６３３号公報に記載のディスク再生装置は、図８に示すように、ピックアップ１０１の位置がＴＯＣ領域１０３よりディスク１０２の内周側にある状態で、ピックアップ１０１の位置検出用スイッチがＯＮになった後、図示しないアドレス検出器から得られるデータを読み取り、ピックアップ１０１の光ビームスポットがディスク１０２のＴＯＣ領域１０２より内周側となる状態を検出する毎にピックアップ１０１を所定幅ずつディスク１０２の外周方向に自動的に移動させることにより、ＴＯＣ領域１０３がピックアップ１０１により検出されるまで所定幅で複数回ジャンプしてピックアップ１０１を移動し、ピックアップ１０１がＴＯＣ領域１０３に入ればＴＯＣ情報を読み出すことでピックアップをＴＯＣ領域１０３内に確実に移動し、また、ピックアップの位置検出用スイッチの取り付けにきわめて精密な取り付け作業を必要とせず、能率的な組み立て作業を行うことができるようになっている。
【００１１】
【発明が解決しようとする課題】
しかしながら、上記特開昭５９−１２１６３３号公報に記載のディスク再生装置は、ピックアップ１０１の光ビームスポットがディスク１０２のＴＯＣ領域１０２より内周側となる状態を検出する毎に図示しないアドレス検出器から得られるデータを読み取り、その都度ピックアップ１０１を所定幅ずつディスク１０２の外周方向に移動させる必要がある。このため、ピックアップ１０１をＴＯＣ領域１０２に移動するのに時間がかかるという問題点を有している。
【００１２】
特に、上記ディスク再生装置は、ピックアップ１０１を所定幅ずつディスク１０２の外周方向に自動的に移動させるため、ＴＯＣ領域１０３内の始端部に上記ピックアップ１０１を確実に移動するためにはジャンプ幅をあまり大きく設定することができない。このため、ディスク１０２の立ち上げ時間が長くなる。
【００１３】
一方、これを解消するためにジャンプ幅を大きくすると、ＴＯＣ領域内にピックアップアップを移動することができたとしても、完全にＴＯＣ情報を読み出すことができる位置に常に移動することができなくなる虞れがある。
【００１４】
また、上記ディスク再生装置は、ピックアップの位置検出用スイッチの取り付け位置に拘らず、ピックアップ１０１の位置検出用スイッチがＯＮになった後、ピックアップ１０１を所定幅ずつディスク１０２の外周方向に自動的に移動させるため、ＴＯＣ領域においてはじめに到達する位置は一定ではない。このため、必ずしもＴＯＣ情報を頭から再生することはできず、ＴＯＣ情報が途中から再生された場合、必要なＴＯＣ情報の読み取りに時間がかかるという問題点もある。そして、このような問題は、ディスクの偏芯ばらつき、ディスクチャッキングのばらつき等によっても生じ得る。
【００１５】
なお、ＴＯＣ領域内にピックアップを移動することを目的とするものではないが、ピックアップが待機位置にあることを検出するレストスイッチの取り付け位置とディスク上の所望の位置との間の移動量を記憶し、その記憶した移動量に基づいてディスク上の所望の位置にピックアップの移動を行うことで、レストスイッチの取り付け位置やディスクの偏芯ばらつき等の誤差を補正し、レストスイッチの取り付けに精密な作業を必要とせず、従来よりもレストスイッチの取り付け調整を短時間に行うことができるようにしたディスク再生装置として、実開昭５９−１１２３５２号公報に記載のディスク再生装置が知られている。
【００１６】
該ディスク再生装置は、レストスイッチの取り付け位置等の誤差をＴＯＣ領域を再生して得た情報から補正し、ディスク上のプログラムの記録開始位置を正確に検出することで、ディスクの再生途中または全プログラムの再生終了時に、再度全記録プログラムの最初の位置から頭出しして再生すべく、ディスク外周方向に再生針を摺動移送する際に、レストスイッチの取り付け誤差に起因して基準位置が設定値とずれていたときにフィード機構のオーバーシュートにより再生針がディスクのグルーブガードに衝突したりあるいはグルーブガードを超えないように、以下の方法により、レストスイッチの取り付け位置やディスクの偏芯ばらつき等の誤差を補正している。
【００１７】
つまり、上記ディスク再生装置は、図９に示すように、先ず、▲１▼ピックアップ２０１がレスト位置（待機位置）にあるときＯＮされるレストスイッチのＯＮ時の入力信号により、図示しないカウンタがリセットされ、次いで、▲２▼該カウンタは、ピックアップ２０１が、レスト位置から図９中、矢印方向である内周方向に移送されたときからフォトセンサにより発生されるパルス数を計測する。このカウンタの値は、図示しない比較回路において、図示しないメモリに記録されている基準データと常に比較されている。上記メモリには、ディスク２０２の再生開始前に、レストスイッチからディスク２０２のＴＯＣ領域２０３の中央位置付近までの距離を、ピックアップ２０１が移送される時間中に、図示しないフォトセンサにより出力されるパルス数に等しい値の基準データが記録されている。▲３▼上記カウンタの値とメモリの基準データとの値が一致すると、一致信号が出力され、フィードモータをそれまでよりも遅いノーマル再生時の速度にすると共に、ピックアップ２０１内の図示しない針圧コイルに信号が印加されて再生針がディスク２０１に接触する。この再生針がディスク２０２上に接触する位置は、ディスク２０２の全記録プログラムの初頭位置よりも外周側のＴＯＣ領域２０３（リードイン領域）である。▲４▼該再生針は、フィードモータにより、図９中、矢印方向に、ノーマル再生時の速度でディスク２０１上を摺動しながら移送され、▲５▼ディスク２０１上の記録プログラムの開始位置（ＴＯＣ領域とプログラム記録範囲（以下、ＰＡと記載）２０４との境界）を再生するに至る。▲６▼この再生信号より、図示しないプログラム開始位置検出回路は全記録プログラムの開始位置を検出し、検出信号を出力し、このときのカウンタの計測値を上記メモリにロードする。これにより、上記のメモリから比較回路に供給される値は、前記の基準データから記録プログラムの記録開始位置を示す計測値に変更される。これにより、ＴＯＣ領域を再生することにより、上記メモリには、プログラムの記録開始位置を示す正確な値が更新記録されるようになっている。
【００１８】
しかしながら、上記ディスク再生装置は、ＴＯＣ領域を再生しながら全記録プログラムの開始位置を検出するものであり、再生しながらパルス数をカウントし、設定カウント値と比較する必要がある。このため、上記ディスク再生装置は、ディスク上の所望の位置に確実に移動することはできたとしても、ディスク上の所望の位置に短時間で移動することはできない。
【００１９】
このため、上記ディスク再生装置を、ＴＯＣ領域内での所望の位置へのピックアップの移動に応用したとしても、該ピックアップをＴＯＣ領域内での所望の位置に短時間で移動することはできない。しかも、上記ディスク再生装置では、実際には、ＴＯＣ領域への移動に際しては、微調整は行われておらず、精度良くＴＯＣ領域内の所望の位置に移動することについては何ら開示されておらず、１回のＴＯＣ情報の読み込みで確実にＴＯＣ情報を得ることについて何ら考慮されていない。
【００２０】
本発明は、上記問題点に鑑みなされたものであり、その目的は、リードインスイッチの取り付け誤差やディスクの偏芯ばらつき、ディスクチャッキングのばらつき等を吸収し、ＴＯＣ領域内に正確にピックアップを移動してＴＯＣ情報を早く読み取り、ディスクの立ち上げ時間を早めることができると共に、組み立て時間を短縮することができるディスク再生装置を提供することにある。
【００２１】
【課題を解決するための手段】
すなわち、本発明にかかるディスク再生装置は、上記の課題を解決するために、内周部または外周部にＴＯＣ情報が記録されているＴＯＣ領域と、該ＴＯＣ領域の外周部または内周部にメインデータ情報が記録されているデータ領域（例えばメイン情報領域）とを有するディスクを再生するディスク再生装置において、上記ディスクに記録された情報を読み取るピックアップと、上記ディスクのＴＯＣ領域に近接して設けられ、上記ピックアップの移動によりＯＮ／ＯＦＦされるリードインスイッチと、上記ピックアップを上記ディスクの径方向に移動させるピックアップ移動手段（例えばスレッドモータ）と、上記ピックアップの移動量に応じてパルスを発生させるパルス発生手段（例えばスレッドモータに設けられたホール素子）と、上記パルス発生手段により発生されたパルス数をカウントするカウント手段（例えば速度・移動距離演算回路）と、当該ディスク再生装置にディスクが装着されたときに、上記ピックアップがディスクの内周または外周方向へ移動するように、上記ピックアップ移動手段を制御する制御手段（例えば制御用マイコン（制御回路））とを有し、上記制御手段は、上記リードインスイッチがＯＮになってから所定パルス数カウントした後、上記ピックアップ移動手段の動作を停止させ、上記ピックアップによりこの位置でのディスク上のアドレス情報を読み取らせ、この読み取ったアドレス情報と予め設定されたＴＯＣ領域内の目標アドレス情報との差を演算し、この差分（つまり演算値）をパルス数に換算し、該換算により得られた第１の差分パルス数（つまり、上記ピックアップ移動手段の作動停止位置におけるアドレス情報と所定基準アドレス情報との差に基づくパルス数）を、上記リードインスイッチがＯＮになってからカウントされた所定パルス数に加減算して、リードインスイッチがＯＮになってから目標アドレスに到達するまでに必要とするパルス数を求め、次回の電源再投入時からはこのパルス数を使用し、電源再投入時に、リードインスイッチがＯＮになってからこのパルス数分だけ上記ピックアップが上記ディスクの内周または外周方向に移動するように、上記ピックアップ移動手段を制御することを特徴としている。
【００２２】
上記の構成によれば、上記第１の差分パルス数を上記リードインスイッチがＯＮになってからカウントされた所定パルス数に加減算することにより、リードインスイッチがＯＮになってから目標アドレスに到達するまでに必要とする正確なパルス数を求めることができるので、リードインスイッチの取り付け誤差やディスクの偏芯ばらつき、ディスクチャッキングのばらつき等を吸収することができる。このため、当該ディスク再生装置の立ち上げ時に、リードインスイッチの取り付け位置は補正されたに等しい状態にあり、ピックアップを確実にＴＯＣ領域内の目標アドレスに移動させることができるので、ＴＯＣ情報を直ちに読み出すことが可能となり、当該ディスク再生装置の立ち上げ時間を短縮することができる。
【００２３】
また、所定温度以上になると記録データを消してしまうようなディスクにおいて、ＴＯＣ領域はデータを消すことがない領域であり、ディスク起動時やディスク再生装置が異常状態になったときに再立ち上げする際には必ずＴＯＣ領域から立ち上げることが必要であるが、上記ディスク再生装置は、このＴＯＣ領域に短時間で確実に移動することができるものである。このため、超解像層が設けられているようなディスクにおいても、記録データを消すことなく、ＴＯＣ情報を直ちに読むことが可能となり、当該ディスク再生装置立ち上げ時間を短縮することが可能である。
【００２４】
しかも、上記の構成によれば、当該ディスク再生装置の立ち上げ時に、リードインスイッチの取り付け位置は補正されたに等しい状態にあり、ピックアップを確実にＴＯＣ領域内の目標アドレスに移動させることができるので、当該ディスク再生装置の組み立て時におけるリードインスイッチの取り付け精度はほとんど要求されない。このため、リードインスイッチの取り付け位置の精密な調整を必要とせず、組み立て作業に要する時間の短縮を行うことができる。
【００２５】
したがって、上記の構成によれば、当該ディスク再生装置の組み立て作業に要する時間と立ち上げに要する時間との両方を共に短縮することができ、しかも、記録データを消す虞れがなく、また、１回でＴＯＣ情報の読み取りを行うことができるディスク再生装置を提供することができる。
【００２６】
また、本発明にかかるディスク再生装置は、上記の課題を解決するために、上記制御手段は、当該ディスク再生装置の電源再投入時に、上記リードインスイッチが最初からＯＮになっていた場合、上記ピックアップを、一旦、上記リードインスイッチがＯＦＦになるまで上記ディスクの内周または外周方向に一定時間送り、上記リードインスイッチがＯＦＦになったことを確認した後、上記移動方向と逆方向に送るように上記ピックアップ移動手段を制御することを特徴としている。
【００２７】
当該ディスク再生装置の電源切断時の状況によっては、ピックアップが、電源再投入時にリードインスイッチがＯＮされている場合に、上記ディスクの内周または外周のＴＯＣ領域外にいる場合が考えられる。この場合、特に、ピックアップの位置がミラー領域にある場合、当該ディスク再生装置の立ち上げに支障をきたす虞れがある。また、ＴＯＣ領域への正確な移動を行うためには、リードインスイッチがＯＮとなった時点を基準位置として移動を行う必要がある。このため、上記ピックアップが、電源再投入時にリードインスイッチがＯＮされている場合に、上記ディスクの内周または外周のＴＯＣ領域外にいる場合、ピックアップを一旦、リードイン領域外に移動する必要がある。したがって、上記の構成によれば、このような場合に、ピックアップを一旦、リードイン領域外に移動し、上記リードインスイッチがＯＦＦになったことを確認した後、上記移動方向と逆方向に送ることで、前述した方法により、当該ディスク再生装置を最適に立ち上げることが可能となる。
【００２８】
また、本発明にかかるディスク再生装置は、上記の課題を解決するために、不揮発性メモリをさらに備え、該不揮発性メモリは、上記ディスクが規格基準のものであるときに、上記制御手段により得られた第１の差分パルス数を保持することを特徴としている。
【００２９】
上記の構成によれば、当該ディスク再生装置を出荷する前に、規格基準のディスクによりリードインスイッチの取り付け位置等の誤差をアドレス情報から算出し、その移動量をパルスに置き換え、不揮発性メモリに保持することにより、見かけ上、リードインスイッチの取り付け位置を補正したことになる。したがって、リードインスイッチの精密な取り付け位置の調整を行わなくても、当該ディスク再生装置の出荷時に、リードインスイッチの取り付け位置が補正されたディスク再生装置を出荷することができる。
【００３０】
さらに、本発明にかかるディスク再生装置は、上記の課題を解決するために、上記制御手段は、当該ディスク再生装置に新たなディスクが装着され、該ディスクを再生する際に、当該ディスク再生装置の電源が投入されると、上記不揮発性メモリに保持された第１の差分パルス数を読み出し、この第１の差分パルス数をもとに、上記リードインスイッチがＯＮになってから上記第１の差分パルス数に上記所定パルス数を加えたパルス数分だけ上記ピックアップ移動手段により上記ピックアップを移動した後、上記ピックアップ移動手段の動作を停止させ、上記ピックアップによりこの位置でのディスク上のアドレス情報を読み取らせ、この読み取ったアドレス情報と予め設定されたＴＯＣ領域内の目標アドレス情報との差を演算し、この差分をパルス数に換算して第２の差分パルス数を求め、この第２の差分パルス数を、上記ディスクが取り出されるまで保持し、このディスクを用いた次回の電源再投入時からこのディスクの移動を、上記第１の差分パルス数と上記第２の差分パルス数とを使用して制御することを特徴としている。
【００３１】
上記の構成によれば、上記第１および第２の差分パルス数を補正データとして使用することにより、当該ディスク再生装置に装着されたディスク自身のＴＯＣ領域へのピックアップの移動を確実かつ最適に行うことが可能となる。特に、規格外のディスク等を再生する場合であっても、ＴＯＣ領域にピックアップを確実に移動することができる。
【００３２】
本発明にかかるディスク再生装置は、上記の課題を解決するために、上記制御手段は、当該ディスク再生装置の電源再投入時に、上記ピックアップ移動手段により、上記ピックアップを、上記リードインスイッチがＯＮになるまで一定速度で送り、リードインスイッチがＯＮになってから目標アドレスに到達するまでの間、上記ピックアップ移動手段の出力を少しづつ下げ、上記ピックアップが目標アドレスにて正確に停止するように上記ピックアップ移動手段の出力を制御することを特徴としている。
【００３３】
上記の構成によれば、リードインスイッチがＯＮになってから目標アドレスに到達するまでの間、上記ピックアップ移動手段の出力を少しづつ下げることで、上記ピックアップを、ＴＯＣ領域内の目標アドレスにて正確に停止させることができる。
【００３４】
本発明にかかるディスク再生装置は、上記の課題を解決するために、上記制御手段は、当該ディスク再生装置の電源再投入時に、上記ピックアップ移動手段により、上記ピックアップを、上記リードインスイッチがＯＮになってから第１の差分パルス数分カウントする間は一定速度で送り、その後、上記ピックアップが目標アドレスに到達するまでの所定パルス数分カウントする間は上記ピックアップ移動手段の出力を少しづつ下げ、上記ピックアップが目標アドレスにて正確に停止するように上記ピックアップ移動手段の出力を制御することを特徴としている。
【００３５】
上記の構成によれば、上記ピックアップを、上記リードインスイッチがＯＮになってから第１の差分パルス数分カウントする間は一定速度で送り、その後、上記ピックアップが目標アドレスに到達するまでの所定パルス数分カウントする間は上記ピックアップ移動手段の出力を少しづつ下げていくことにより、上記ピックアップを、ＴＯＣ領域内の目標アドレスに正確かつ早く停止させることができる。
【００３６】
本発明にかかるディスク再生装置は、上記の課題を解決するために、上記制御手段は、当該ディスク再生装置の電源再投入時に、上記ピックアップ移動手段により、上記ピックアップを、上記リードインスイッチがＯＮになってから第１の差分パルス数に第２の差分パルス数を加えたパルス数分カウントする間は一定速度で送り、その後、上記ピックアップが目標アドレスに到達するまでの所定パルス数分カウントする間は上記ピックアップ移動手段の出力を少しづつ下げ、上記ピックアップが目標アドレスにて正確に停止するように上記ピックアップ移動手段の出力を制御することを特徴としている。
【００３７】
上記の構成によれば、上記ピックアップを、上記リードインスイッチがＯＮになってから第１の差分パルス数分カウントする間は一定速度で送り、その後、上記ピックアップが目標アドレスに到達するまでの所定パルス数分カウントする間は上記ピックアップ移動手段の出力を少しづつ下げていくことにより、上記ピックアップを、ＴＯＣ領域内の目標アドレスに正確かつ早く停止させることができる。
【００３８】
本発明にかかるディスク再生装置は、上記の課題を解決するために、上記制御手段は、上記ピックアップ移動手段の出力を下げるときに、上記ピックアップ移動手段の出力を、上記パルス発生手段が発生するパルスに同期させて下げることを特徴としている。
【００３９】
上記の構成によれば、上記ピックアップ移動手段の出力を、上記パルス発生手段が発生するパルスに同期させて少しづつ下げることにより、目標アドレスでピックアップを停止させるために急激なブレーキをかけないですむため、消費電力を削減することができる。
【００４０】
【発明の実施の形態】
〔実施の形態１〕
本発明に係る実施の一形態について、図１〜図７（ａ）・（ｂ）に基づいて説明すれば、以下の通りである。
【００４１】
図２に示すように、記録媒体であるディスク３０には、その最内周部、つまり、ディスク３０の中心に設けられたセンターホール３１の周囲に、信号が全く記録されない内周ミラー領域３２が設けられると共に、その内周ミラー領域３２の外周側に、ＴＯＣ（Ｔａｂｌｅ  Ｏｆ  Ｃｏｎｔｅｎｔｓ  ）情報が記録されているＴＯＣ領域でもあるリードイン領域３３が形成されている。
【００４２】
ＴＯＣ領域には、ディスク３０の製造者がディスク３０製造時の製造情報、例えばディスク３０の記録時や再生時のレーザビームの最適なパワー情報等をウォブルを形成することによって記録することから、ウォブルが連続して形成されている。このため、ＴＯＣ情報は、ユーザが該ディスク３０を入手したときには既に記録済みであり、また、消去することもできない。ＴＯＣ領域内には、同一のＴＯＣ情報が繰り返し記録されている。
【００４３】
また、ＴＯＣ領域でもある上記リードイン領域３３の例えば外周部には、メインデータ情報が記録されているデータ領域として、メイン情報領域３４が設けられている。メイン情報領域３４は、上記リードイン領域３３の外側の大部分の領域を占め、複数、例えば１７個に分割されたゾーンが形成されている。このゾーンを、内周から外周にかけてゾーン１，ゾーン２，…，ゾーン１７と称する。
【００４４】
上記メイン情報領域３４の外周側には、リードアウト領域３５、並びに、外周ミラー領域３６が、内周側からこの順に形成されている。ここで、内周側のリードイン領域３３のＴＯＣ領域はゾーン０に相当し、外周側のリードアウト領域３５はゾーン１８に相当する。
【００４５】
上記ディスク３０は、所謂、ゾーンＣＬＶ（Ｃｏｎｓｔａｎｔ  Ｌｉｎｅａｒ  Ｖｅｌｏｃｉｔｙ）方式で回転制御がなされている。ゾーンＣＬＶ方式では、各ゾーン内での回転数は一定になるように制御される。すなわち、各ゾーン内では、いわゆるＣＡＶ（Ｃｏｎｓｔａｎｔ  Ａｎｇｕｌａｒ  Ｖｅｌｏｃｉｔｙ  ）制御が行われ、各ゾーンでの線速度がほぼ一定となるように各ゾーンの固定回転数が決定される。したがって、外周側のゾーンほど回転数が低くなる。
【００４６】
上記ディスク３０は、本実施の形態にかかるディスク再生装置に載置して用いられ、該ディスク再生装置に載置されるとき、通常は、図１に示すＧ１  方向、すなわち、ディスク３０のディスク面に対して垂直方向下向きに重力を受けるが、該ディスク再生装置の姿勢によっては、ディスク３０のディスク面に対して水平方向、すなわち、図１に示すＧ２  方向あるいはその逆方向となるＧ３  方向に重力を受ける場合がある。
【００４７】
本実施の形態にかかる上記ディスク再生装置は、図１に示すように、ディスク３０に記録された情報を読取るピックアップ１と、ディスク３０を挟むようにピックアップ１と互いに対向して設けられ、ディスク３０のディスク面に沿ってディスク３０の径方向、つまり、ディスク３０の中心方向となる内周側およびその逆方向である外周側に、ピックアップ１と互いに一体的に移動可能に設けられ、ディスク３０にデータ信号に基づく磁界を印加する磁気ヘッド２と、ディスク３０を支持して回転駆動するスピンドルモータ３とを備えている。
【００４８】
上記ディスク３０は、レーザストローブ磁界変調方式によって記録される。上記ディスク３０は、磁気ヘッド２からデータ信号に基づく磁界を受け取るとともにピックアップ１からのパルス発光されたレーザビームに基づいてディスク３０の所定の箇所がキュリー点以上の温度に高められ、上記磁界の方向に基づいて垂直磁化される。その後、該記録箇所がキュリー点未満の温度に降下すると上記磁化方向付けされた磁化に固定保持されることとなる。このとき、上記レーザビームによる出射光はパルス発光であるから、記録された信号のピッチは非常に狭いものとなり、高密度記録が可能となる。
【００４９】
また、上記ディスク再生装置は、上記ピックアップ１を上記ディスク３０の径方向に移動させるピックアップ移動手段として、駆動手段であるスレッドモータ４と、該スレッドモータ４の回転駆動を直線駆動に変換する図示しない中間伝達手段とを備え、上記ピックアップ１は、上記中間伝達手段によりスレッドモータ４の回転駆動を直線駆動に変換することで、上記したように、ディスク３０のディスク面に沿ってディスク３０の中心方向およびその逆方向に、磁気ヘッド２と一体的に移動する。
【００５０】
上記スレッドモータ４の内部には、Ｎ極とＳ極とが交互に磁化された、図示しないリング状のマグネット（磁石）が設けられていると共に、該マグネットに対向するように、回転板（ロータ）と一体的に回転する２つのホール素子５ａ・５ｂ（パルス発生手段）が設けられている。上記マグネットは、ホール素子５ａ・５ｂに対向する回転板（ロータ）に設けられている。上記ホール素子５ａ・５ｂは互いに所定間隔（所定角度）隔てて設けられ、上記ピックアップ１の移動量に応じてパルスを発生させるようになっている。
【００５１】
また、上記ディスク再生装置は、上記ディスク３０のＴＯＣ領域に近接して設けられ、上記ピックアップ１の移動によりＯＮ／ＯＦＦされる、後述するリードインスイッチ２１を備えると共に、信号処理回路１２、ディジタルサーボ処理回路１３、ＰＷＭ（Ｐｕｌｓｅ  Ｗｉｄｔｈ  Ｍｏｄａｌａｔｉｏｎ）信号生成回路１４、制御用マイコン１５、並びに不揮発性メモリ１６からなる制御回路１１を備え、各回路は、上記制御用マイコン１５（制御手段）によって制御されている。
【００５２】
上記ホール素子５ａ・５ｂの出力信号であるホール素子出力信号ａ・ｂは、この制御回路１１における速度・移動距離演算回路８（カウント手段）に送出される。該速度・移動距離演算回路８では、上記ホール素子出力信号ａ・ｂを基に、スレッドパルス信号が作成され、上記リードインスイッチ２１がＯＮになってからのパルス数をカウントすることで、上記制御用マイコン１５により、例えばディスク３０のＴＯＣ領域のセンター位置を基準とする所定目標アドレスに対する上記ピックアップ１のディスク中心方向またはその逆方向の移動の速度および移動距離が演算される。該演算結果は、信号ｄとして、制御回路１１におけるディジタルサーボ処理回路１３に送出される。
【００５３】
上記スレッドモータ４は、この速度・移動距離演算回路８からのスレッドパルス信号を基に演算された結果からディジタルサーボ処理回路１３によって生成された信号ｅに基づいてＰＷＭ信号生成回路１４が生成するＰＷＭ信号ｆを基に生成された、ＰＷＭドライバ９からのスレッドモータ用駆動信号ｇにて駆動される。
【００５４】
また、上記スレッドパルス信号をカウントすることで、上記制御用マイコン１５によって演算された、読み出されたアドレスと所定目標アドレスとの差分は、上記制御用マイコン１５によりパルス数に換算され、不揮発性メモリ１６に記録され、電源再投入時に用いられる。
【００５５】
また、ピックアップ１内に設けられた対物レンズは、ＰＷＭドライバ９からの対物レンズ駆動信号ｈにて駆動される。該対物レンズ駆動信号ｈは、ピックアップ１からの信号（ＲＦ（Ｒａｄｉｏ  Ｆｒｅｑｕｅｎｃｙ）  信号ｉ、光検出信号ｊ）を基にＲＦ（Ｒａｄｉｏ  Ｆｒｅｑｕｅｎｃｙ）  処理回路６から出力される信号（各エラー信号ｋ、シフト信号ｌ、信号ｎ）を基にしてディジタルサーボ処理回路１３によって生成された信号ｏに基づいてＰＷＭ信号生成回路１４が生成するＰＷＭ信号ｐを基に生成される。
【００５６】
上記ＲＦ処理回路６では、ピックアップ１で光検出されて電流信号として出力される信号（ＲＦ信号ｉ、光検出信号ｊ）を電圧信号に変換する。
【００５７】
上記ピックアップ１で光検出されて電流信号として出力される光検出信号ｊのうち、ＲＦ信号ｉに対応する光検出信号は、位相が正反対の２つの信号からなり、ＲＦ処理回路６に送られた後、ＲＦ処理回路６にてその２つの信号の差信号（信号ｎ；実質和信号）を求め、ＡＧＣ（Ａｕｔｏｍａｔｉｃ  ａｇａｉｎ  ｃｏｎｔｒｏｌ）  処理が施されて信号処理回路１２に送出される。該信号処理回路１２では、エラー訂正、デインタリーブ、ＮＲＺＩ（ｎｏｎ−ｒｅｔｕｒｎ−ｔｏ−ｚｅｒｏ  ｉｎｖｅｒｔｅｄ  ｃｏｄｅ）変換、ビタビ複合等がなされ、後段接続用のインターフェース１７に送出される。
【００５８】
一方、ピックアップ１で光検出されて電流信号として出力される光検出信号ｊのうち、エラー信号に対応する光検出信号もＲＦ処理回路６に送られ、ＲＦ処理回路６にてエラー信号ｋ並びにシフト信号ｌが生成される。
【００５９】
ＲＦ処理回路６にて生成されたエラー信号ｋは、アナログ／ディジタル変換器７（  以下、ＡＤＣ（ａｎａｌｏｇ  ｔｏ  ｄｉｇｉｔａｌ  ｃｏｎｖｅｒｔｅｒ）  ７と記す）に送られてアナログ／ディジタル変換され、さらにそのディジタル信号ｍは、ディジタルサーボ処理回路１３に送られ、最終のエラー信号が生成される。
【００６０】
なお、ディジタルサーボ処理回路１３は、主に、ディジタル信号プロセッサ（ＤＳＰ：ｄｉｇｉｔａｌ  ｓｉｇｎａｌ  ｐｒｏｃｅｓｓｏｒ）  で構成されている。
【００６１】
上記ディジタルサーボ処理回路１３では、ＲＦ信号ｉから得られる同期信号がマスタークロックを基に、図示しないＰＬＬ（ｐｈａｓｅ−ｌｏｃｋｅｄ  ｌｏｏｐ）  回路にてＰＬＬ処理される。このＰＬＬ処理された信号ｑは、ＰＷＭ信号生成回路１４に送られてＰＷＭ化されてＰＷＭ信号ｒとなり、スピンドルモータドライバ１０を介してスピンドルモータ駆動信号ｓとして出力され、スピンドルモータを回転制御する。
【００６２】
なお、スピンドルモータ３はＦＧ（Ｆｒｅｑｕｅｎｃｙ  Ｇｅｎｅｒａｔｏｒ）  モータであるが、記録や再生を行っているとき、すなわち、トラッキングがなされているときは上記ＰＬＬ回路で制御されるが、ディスク回転起動時およびロングサーチ時にはＦＧサーボにて制御される。
【００６３】
ここで、ＦＧサーボについて説明する。
スピンドルモータドライバ１０よりスピンドルモータ駆動信号ｓが出力され、該スピンドルモータ駆動信号ｓによりスピンドルモータ３が回転駆動されると、スピンドルモータ３から、スピンドルモータ３自身の回転に関する信号ｔがスピンドルモータドライバ１０に帰還され、そこで波形整形され、ＦＧ信号ｕとして信号処理回路１２に送出される。信号処理回路１２では、ディスク３０においてピックアップ１の位置するゾーンでのスピンドルモータ３のあるべき回転数と、上記帰還された信号ｔから得られたＦＧ信号ｕとが比較され、エラー信号ｖが生成される。該エラー信号ｖはディジタルサーボ処理回路１３に送出され、ここで該エラー信号ｖを基にスピンドルモータ駆動信号ｓの源信号ｗが生成され、ＰＷＭ信号生成回路１４を介し、スピンドルモータドライバ１０に送られる。以上のループにてＦＧサーボがなされる。
【００６４】
また、ディジタルサーボ処理回路１３で得られるフォーカスエラー信号ｘおよびトラッキングエラー信号ｙもＰＷＭ信号生成回路１４に入力され、ＰＷＭ化された後、ＰＷＭドライバ９を介してフォーカス制御およびトラッキング制御がなされる。
【００６５】
トラッキングサーボは、ピックアップ１→ＲＦ処理回路６→ＡＤＣ７→ディジタルサーボ処理回路１３→ＰＷＭ信号生成回路１４→ＰＷＭドライバ９→ピックアップ１というメインループと、ピックアップ１（ホール素子５ａ・５ｂ）→速度・移動距離演算回路８→ディジタルサーボ処理回路１３→ＰＷＭ信号生成回路１４→ＰＷＭドライバ９→ピックアップ１というサブループの２つのループによって制御される。
なお、上記した一連の制御は、制御用マイコン１５によって行われる。
【００６６】
また、磁気ヘッド２は、上記信号処理回路１２からの信号Ａに基づいて、磁気ヘッド駆動回路１８により、ディスク記録時にディスク３０にレーザビームを一定強度で照射し、磁性膜の温度をキュリー点以上の温度に上げておき、磁界をそのスポット付近に集中させ、信号処理回路１２からの信号Ａのデータに合わせて磁化させる一方、制御用マイコン１５からの信号Ｂに基づいて、記録時にはディスク３０に摺接すべく、磁気ヘッド昇降駆動回路１９を介して磁気ヘッドモータ２０により、ディスク３０のディスク面側に降下され、記録が終了すると、磁気ヘッド昇降駆動回路１９を介して磁気ヘッドモータ２０により、ディスク３０から離間する方向に上昇される。なお、磁気ヘッド２とピックアップ１は、一対になっている。
【００６７】
次に、上記ディスク再生装置の再生動作手順を説明する。
ディスク３０が当該ディスク再生装置に装着されると、先ず、ディスク３０のＴＯＣ領域のサーチが行われる。この際、ＴＯＣ情報を少しでも早く読み取れるように、すなわち、ＴＯＣ領域にピックアップ１が少しでも速く到達するように、粗サーチの後、トラッキングジャンプを繰り返す通常のサーチではなく、粗サーチやラフサーチだけでＴＯＣ領域近傍に到達できるようにしておく必要がある。
【００６８】
粗サーチは、ピックアップ１の所在位置と目標位置とのアドレスデータとを比較し、約何本のトラックを横切らなければならないかを算出し、その算出結果に基づいてスレッドモータ４を稼働してピックアップ１を目標位置の近傍に到達させるものであるが、本実施の形態において、ＴＯＣ領域近傍への移動においては、ＴＯＣ領域にピックアップ１が少しでも速く到達するように、粗サーチよりもさらにラフなラフサーチが行われる。
【００６９】
粗サーチはディスク３０を再生し、ディスク３０のアドレス情報を読み出す必要があるが、ラフサーチはディスク３０を再生する必要がない。
このため、このラフサーチは、上述したように横切るトラックの本数の算出を行うことはなく、リードインスイッチ２１が切り替わるところまでただ単にピックアップ１を移動させ、リードインスイッチ２１が切り替わったところでスレッドモータ４の回転を停止させるという極単純なものである。
【００７０】
しかしながら、一般的に、リードインスイッチの取り付け精度にはばらつきが生じるため、ＴＯＣ領域には、同一の情報が繰り返し記録されてはいるものの、スレッドモータによるピックアップの移動により、ピックアップがＴＯＣ領域内に移動したとしても、ＴＯＣ領域の終端に移動した場合や、ＴＯＣ情報を途中から読み出した場合、残りの情報がそれ以上記録されていない場合は、ＴＯＣ情報が完全に再生さないまま、メインデータ領域のディジタルデータの再生が開始されてしまうことになる。
【００７１】
そこで、次に、ピックアップ１のＴＯＣ領域への移動に際し、確実かつ正確にＴＯＣ領域内にピックアップ１を止め、１回のＴＯＣ情報の読み込みで確実にＴＯＣ情報を得るべく、図３〜図７（ａ）・（ｂ）を参照して、本実施の形態にかかる上記ディスク再生装置におけるピックアップ１の送り制御について説明する。該送り制御は、制御用マイコン１５による制御のもと、リードインスイッチ２１と、ホール素子５ａ・５ｂ付きのスレッドモータ４とにより、速度・移動距離演算回路８からの速度・位置情報をもとに得られるスレッド送りプロファイルに基づいてピックアップ１を停止し、得られるアドレス情報をもとにピックアップ１の送りを補正・制御するものであり、具体的には、以下に示すように行われる。
【００７２】
先ず、図３に示すように、上記ディスク再生装置の初期電源投入時に、ピックアップ１の位置は不明であるため、リードインスイッチ２１がＯＮしていないことを確認し、スレッドモータ４によって、一定速度で、ピックアップ１を、リードインスイッチ２１がＯＮする位置（図３中、Ｘ１  ）まで送る。
【００７３】
リードインスイッチ２１のＯＮ／ＯＦＦは、例えば、図６に示されるように、上記ピックアップ１が動いて、ディスク面に対向して設けられたメカニカルスイッチ４１をＯＮ／ＯＦＦすることで切り替わる。
【００７４】
また、図７（ａ）・（ｂ）に示すように、リードインスイッチ２１のＯＮ／ＯＦＦは、ピックアップ１が動いて、該ピックアップ１の先端に設けられた板状の光遮断部材１ａがフォトインタラプタ５１内の光線を透過あるいは遮断することで切り替えることも可能である。リードインスイッチ２１のＯＮ／ＯＦＦを切り替える方法としては、特に限定されるものではなく、従来公知の種々の方法を採用することができる。
【００７５】
リードインスイッチ２１がＯＮになれば、次に、図３に示すように、上記ピックアップ１を、所定パルス数（図３においては、８パルス）分移動させ、該位置で上記スレッドモータ４の動作を停止させる。例えば、図３において、１パルス＝３８．９μｍとすると、上記ピックアップ１は、リードインスイッチ２１がＯＮしてから８パルス数×３８．９μｍ移動した位置（図３中、Ｘ３）にて停止される。そして、該位置でディスク３０を再生し、スレッドモータ４の停止時におけるピックアップ１の到着時のアドレス情報を読み出す。
【００７６】
なお、リードインスイッチ２１がＯＮしてから上記ピックアップ１が移動するパルス数は、上記ピックアップ１がＴＯＣ領域（図３中、Ｘ２  −Ｘ５  間）内の目標アドレス（図３中、Ｘ４  ）に到達するように、予め所定の値に設定されている。このため、リードインスイッチ２１が精度良く取り付けられているほど、リードインスイッチ２１がＯＮになった位置から上記ピックアップ１を所定パルス数分移動させることで、予め設定された所定目標アドレス（図３中、Ｘ４  ）付近のアドレス情報が読み出される。
【００７７】
上記所定目標アドレスは、好適にはディスク３０のＴＯＣ領域のセンター位置に設定される。このように、所定目標アドレスをＴＯＣ領域のセンター位置に設定することで、上記ピックアップ１を、ＴＯＣ領域のセンターを目標として移動させ、その場所に確実に止めることができるので、上記ピックアップ１がＴＯＣ領域の端部位置で停止してＴＯＣ情報を読み出すことがなく、１回のＴＯＣ情報の読み込みで、確実にＴＯＣ情報を得ることができる。
【００７８】
上記ピックアップ１が移動するパルス数は、上記ピックアップ１の移動量に応じて、上記スレッドモータ４の回転板（ロータ）に取り付けられたホール素子５ａ・５ｂから発生されるパルスを基に、前記速度・移動距離演算回路８にて作成されるスレッドパルス信号からカウントされる。
【００７９】
この場合、上記リードインスイッチ２１がＯＮすると同時に、スレッドモータ４の送り電圧を下げていき、スレッドモータ４が上記ピックアップ１を所定パルス数分移動させたところで送り電圧をゼロにすることにより、スレッドモータ４は、上記ピックアップ１を、速度制御手段としても機能するディジタルサーボ処理回路１３の制御によって、前記ＰＭＷドライバ９からのスレッドモータ用駆動信号ｇ（図１参照）に基づいて精度良く、所定パルス数分移動させた位置で停止させることができる。
【００８０】
そして、この場合、上記リードインスイッチ２１がＯＮすると同時に、上記スレッドモータ４の出力をホール素子５ａ・５ｂが発生するパルスに同期させて、１パルスエッジ毎に、指定した値に基づいてスレッドモータ４の送り電圧を下げていき、スレッドモータ４が上記ピックアップ１を所定パルス数分移動させたところで送り速度をゼロにすることにより、上記ピックアップ１を停止させるために急激なブレーキをかけないですむため、消費電力を削減することができる。
【００８１】
このようにして上記ピックアップ１が移動し、停止されて、到着時のアドレス情報が読み出されると、続いて、その読み出されたアドレス情報と所定目標アドレスとの差が、前記制御用マイコン１５によって求められ、上記所定目標アドレスに対する上記ピックアップ１のディスク中心方向またはその逆方向の移動の速度および移動距離が演算される。
【００８２】
このアドレス差、すなわち、到着時のアドレスと所定目標アドレスとの差分がリードインスイッチ２１の取り付け誤差として計算される。このアドレス差は、上記制御用マイコン１５により、スレッド送りパルスに変換することでパルス数に換算され、第１差分パルス数（第１の差分パルス数）として、不揮発性メモリ１６に書き込まれる。
【００８３】
上記第１差分パルス数は、以下のようにして求められる。
先ず、到着時のアドレス（つまり、所定パルス数カウント後、読み出されたアドレス）を基準位置からのトラック本数に変換した値と、所定目標アドレスを基準位置からのトラック本数に変換した値との差をトラック本として算出する。この場合、この値がＮ〔本〕でトラックピッチがＰ〔μｍ〕とすると、ピックアップ１が移動しなければならない距離は、Ｎ×Ｐ〔μｍ〕となる
したがって、スレッドモータ４が１回転当たりピックアップ１を移動させる距離をＬ〔μｍ／ｒｏｔ〕とすると、スレッドモータ４が回転しなければならない総回転数Ｗは、
Ｗ＝Ｎ×Ｐ／Ｌ〔回転〕
となる。
【００８４】
この回転数の算出は、前述したホール素子５ａ・５ｂの出力信号であるホール素子出力信号ａ・ｂ（図１参照）から算出される。ホール素子５ａ・５ｂに対向する回転板（ロータ）に設けられる、Ｎ極・Ｓ極を１組とするマグネットがＹ組あるとすると、例えばホール素子出力信号ａ・ｂにおいて、２Ｙ回、スレッド送りパルスエッジを検出すると、スレッドモータ４が１回転したことになる。
【００８５】
したがって、目的トラックに達成するまでに検出すべきスレッドパルスエッジの回数Ｚは、
Ｚ＝Ｗ×２Ｙ＝Ｎ×Ｐ×２Ｙ／Ｌ
となる。
【００８６】
つまり、ホール素子５ａ・５ｂの出力信号を基に、速度・移動距離演算回路８によりスレッドパルス信号を作成し、そのスレッドパルス数をカウントし、スレッドモータ４の停止位置（図３では、Ｘ３  ）  からのカウント数がＺ、すなわち、Ｎ×Ｐ×２Ｙ／Ｌになったところが所定目標アドレスであり、この算出されたスレッドパルス数Ｎ×Ｐ×２Ｙ／Ｌが、前記制御用マイコン１５により、第１差分パルス数として前記不揮発性メモリ１６に書き込まれる。
【００８７】
そして、前記制御用マイコン１５は、上記第１差分パルス数（すなわち、図３中、Ｘ４  におけるアドレスとＸ３  におけるアドレスとのアドレス差に相当するパルス数）を、上記リードインスイッチがＯＮになってからカウントされた所定パルス数（すなわち、図３中、Ｘ１  −Ｘ３  間を上記ピックアップ１が移動する間に得られたスレッドパルス信号からカウントされたパルス数）に加減算して、リードインスイッチがＯＮになってから目標アドレスに到達するまでに必要とする総パルス数（以下、移動パルス数と記す）を求め、次回の電源再投入時からはこの移動パルス数を使用し、電源再投入時に、リードインスイッチがＯＮになってからこの移動パルス数分だけ上記ピックアップ１が所定目標アドレスの方向に移動するように、スレッドモータ４によるピックアップ１の移動を制御する。
【００８８】
これにより、上記ディスク再生装置は、当該ディスク再生装置の電源が再投入されると、スレッドモータ４  により、上記ピックアップ１を、リードインスイッチがＯＮになってから上記移動パルス数分だけ所定目標アドレスの方向、この場合は、ディスク３０の内周側のリードイン領域３３側に移動する。
【００８９】
この場合、例えば図３に示すスレッド送りプロファイルにしたがって、上記ピックアップ１を、上記リードインスイッチ２１がＯＮになるまで一定速度で送り、上記リードインスイッチ２１がＯＮすると同時に、図３に示すスレッド送りプロファイルにしたがってスレッドモータ４の送り電圧を下げていくことで、上記ピックアップ１を、所定目標アドレスにて正確に停止させることができる。
【００９０】
また、この場合、上記リードインスイッチ２１がＯＮすると同時に、上記スレッドモータ４の出力をホール素子５ａ・５ｂが発生するパルスに同期させて、１パルスエッジ毎に、指定した値に基づいてスレッドモータ４の送り電圧を下げていき、スレッドモータ４が上記ピックアップ１を、リードインスイッチがＯＮになってから上記移動パルス数分送ったところ（図３では１３パルス目）で送り速度をゼロにすることにより、上記ピックアップ１を所定目標アドレスにて正確に停止させることができ、上記ピックアップ１を停止させるために急激なブレーキをかけないですむため、消費電力を削減することができる。
【００９１】
このように、当該ディスク再生装置によれば、上記第１差分パルス数を上記リードインスイッチ２１がＯＮになってからカウントされた所定パルス数に加減算することにより、リードインスイッチ２１がＯＮになってから所定目標アドレスに到達するまでに必要とする正確な移動パルス数を求めることができるので、リードインスイッチ２１の取り付け誤差やディスク３０の偏芯ばらつき、ディスクチャッキングのばらつき等を吸収することができる。このため、当該ディスク再生装置の立ち上げ時に、リードインスイッチ２１の取り付け位置は補正されたに等しい状態にあり、ピックアップ１を確実にＴＯＣ領域内の所定目標アドレスに移動させることができるので、ＴＯＣ情報を直ちに読み出すことが可能となり、当該ディスク再生装置の立ち上げ時間を短縮することができる。
【００９２】
また、所定温度以上になると記録データを消してしまうようなディスクを使用する場合において、ＴＯＣ領域はデータを消すことがない領域であり、ディスク起動時やディスク再生装置が異常状態になったときに再立ち上げする際には必ずＴＯＣ領域から立ち上げることが必要であるが、上記ディスク再生装置は、このＴＯＣ領域に短時間で確実に移動することができる。このため、超解像層が設けられているようなディスクを使用する場合においても、記録データを消すことなく、ＴＯＣ情報を直ちに読むことが可能となり、当該ディスク再生装置立ち上げ時間を短縮することが可能である。
【００９３】
しかも、上記ディスク再生装置は、リードインスイッチがＯＮになってから所定パルス数カウント後の到着時のアドレスと所定目標アドレスとのアドレス差をパルス数として求め、これを次回の電源再投入時からピックアップ１の移動の際の補正に使用することにより、上記当該ディスク再生装置の立ち上げ時に、リードインスイッチ２１の取り付け位置は補正されたに等しい状態にあり、ピックアップ１を確実にＴＯＣ領域内の目標アドレスに移動させることができるので、上述したように、ＴＯＣ領域内の所定目標アドレスに上記ピックアップ１を正確かつ確実に移動することができる。このため、当該ディスク再生装置の組み立て時におけるリードインスイッチ２１の取り付け精度はほとんど要求されない。したがって、当該ディスク再生装置は、リードインスイッチ２１の取り付け位置の精密な調整を必要とせず、組み立て作業に要する時間の短縮を行うことができる。
【００９４】
また、上記ディスク再生装置は、当該ディスク再生装置を出荷する前に、規格基準のディスク、例えば前記ディスク３０により、リードインスイッチ２１の取り付け位置の誤差をアドレス情報から算出し、前記したように、その移動量をパルスに置き換え、第１差分パルス数として不揮発性メモリ１６に保持することにより、見かけ上、リードインスイッチ２１の取り付け位置を補正したことになる。したがって、リードインスイッチ２１の精密な取り付け位置の調整を行わなくても、当該ディスク再生装置の出荷時に、リードインスイッチ２１の取り付け位置が補正されたディスク再生装置を出荷することができる。
【００９５】
そして、この場合、上記ディスク再生装置は、当該ディスク再生装置に新たなディスク３０’が装着され、該ディスク３０’を再生する際に、当該ディスク再生装置の電源が投入されると、前記制御用マイコン１５の制御下、上記不揮発性メモリ１６に保持された第１差分パルス数を読み出し、この第１差分パルス数をもとに、上記リードインスイッチ２１がＯＮになってから上記第１差分パルス数に上記所定パルス数を加えた移動パルス数分だけ上記ピックアップ１をスレッドモータ４により移動した後、上記スレッドモータ４の動作を停止させ、上記ピックアップ１によりこの位置でのディスク３０’上のアドレス情報を読み取らせ、この読み取ったアドレス情報と予め設定されたＴＯＣ領域内の目標アドレス情報との差を演算し、この差分をパルス数に換算して第２差分パルス数（第２の差分パルス数）を求め、この第２差分パルス数を、上記ディスク３０’が取り出されるまで保持し、このディスク３０’を用いた次回の電源再投入時から、このディスク３０’の移動を、上記第１差分パルス数と上記第２差分パルス数とを補正データとして使用することにより、当該ディスク再生装置に装着されたディスク３０’自身のＴＯＣ領域への上記ピックアップ１の移動を確実かつ最適に行うことが可能である。この場合、新たに装着されたディスク３０’が規格外のディスクである場合にも、ＴＯＣ領域に上記ピックアップ１を確実に移動することが可能である。
【００９６】
なお、上記第２差分パルス数は、第１差分パルス数と同様の方法により求めることが可能であり、第１差分パルス数が、リードインスイッチ２１がＯＮしてから所定パルス数カウント後、到着時のアドレス（つまり、所定パルス数カウント後、読み出されたアドレス）を基準位置からのトラック本数に変換した値と、所定目標アドレスを基準位置からのトラック本数に変換した値との差をトラック本として算出し、この値とトラックピッチとからピックアップ１が移動しなければならない距離を求め、この値をもとに目的トラックに達成するまでに検出すべきスレッドパルスエッジの回数を求めることにより算出されるのに対し、第２差分パルス数は、リードインスイッチ２１がＯＮしてから前記移動パルス数（すなわち、所定パルス数に第１差分パルス数を加減算した値）分カウント後、読み出されたアドレスを基準位置からのトラック本数に変換した値と、所定目標アドレスを基準位置からのトラック本数に変換した値との差をトラック本として算出し、この値とトラックピッチとからピックアップ１が移動しなければならない距離を求め、この値をもとに目的トラックに達成するまでに検出すべきスレッドパルスエッジの回数を求めることにより算出することができる。
【００９７】
上記第２差分パルス数は、第１差分パルス数と共に、不揮発性メモリ１６に記録され、上記ディスク３０’が取り出されるまで、電源が再投入されると、制御用マイコン１５の制御下、不揮発性メモリ１６より、第１差分パルス数と共に読み出される。これにより、上記ピックアップ１は、スレッドモータ４  により、リードインスイッチがＯＮになってから前記所定パルス数に上記第１差分パルス数と第２差分パルス数とを加減算して得られるパルス数、つまり、前記移動パルス数に第２差分パルス数を加減算して得られるパルス数分だけ、所定目標アドレスの方向、この場合は、ディスク３０の内周側のリードイン領域３３側に移動する。
【００９８】
この場合、例えば図４に示すスレッド送りプロファイルにしたがって、上記ピックアップ１を、上記リードインスイッチ２１がＯＮになるまで一定速度で送り、上記リードインスイッチ２１がＯＮすると同時に、送り電圧を図３に示すスレッド送りプロファイルにしたがってスレッドモータ４の出力、つまり、送り電圧を下げていくことで、上記ピックアップ１を、所定目標アドレスにて正確に停止させることができる。
【００９９】
また、この場合、上記スレッドモータ４の出力を下げるときに、図４に示すように、上記スレッドモータ４の出力をホール素子５ａ・５ｂが発生するパルスに同期させて、１パルスエッジ毎に、指定した値に基づいてスレッドモータ４の送り電圧を下げていき、リードインスイッチ２１がＯＮしてから、前記所定パルス数に上記第１差分パルス数と第２差分パルス数とを加減算（本実施の形態では加算）したパルス数分カウントしたところで上記スレッドモータ４の出力をゼロにすることにより、所定目標アドレスで上記ピックアップ１を正確に停止させることができると共に、上記ピックアップ１を停止させるために急激なブレーキをかけないですむため、消費電力を削減することができる。
【０１００】
また、上記ディスク３０’の再生時における送り制御として、電源が再投入されると、制御用マイコン１５の制御下、不揮発性メモリ１６より第２差分パルス数を第１差分パルス数と共に読み出し、例えば図５に示すスレッド送りプロファイルにしたがって、上記ピックアップ１を、上記リードインスイッチ２１がＯＮしてから第１差分パルス数と第２差分パルス数との加減算（本実施の形態では加算）したパルス数分、上記リードインスイッチ２１がＯＮになるまでの送りと同様に一定速度で送り、所定パルス数分は、スレッドモータ４の出力、つまり、送り電圧を少しづつ下げていくことで、上記ピックアップ１を、所定目標アドレスにて正確に停止させることができると共に、上記ピックアップ１を、ＴＯＣ領域内の目標アドレスにより早く到達させることができる。
【０１０１】
そして、この場合にも、上記スレッドモータ４の出力を下げるときに、図５に示すように、上記スレッドモータ４の出力をホール素子５ａ・５ｂが発生するパルスに同期させて１パルスエッジ毎に、指定した値に基づいてスレッドモータ４の送り電圧を下げていき、上記リードインスイッチ２１がＯＮしてから第１差分パルス数と第２差分パルス数とを加減算（本実施の形態では加算）したパルス数分、上記ピックアップ１を移動させた時点から、所定パルス数分カウントしたところで上記スレッドモータ４の出力をゼロにすることにより、上記ピックアップ１を所定目標アドレスで停止させるために、急激なブレーキをかけないですむため、消費電力を削減することができる。
【０１０２】
本実施の形態では、例えば、ＴＯＣ情報エリアの幅が１．０ｍｍ、ディスク公差が±１０μｍ以内、ディスク最大偏心量が±２３μｍ以内、ディスク取り付け時に発生するディスク３０’のがたつき（ディスク取り付けがた）が±１６μｍ以内、ＴＯＣ情報１回分の長さが２０μｍに設定されており、ＴＯＣ情報エリアの幅をＡ、ディスク公差をＢ、ディスク最大偏心量をＣ、ディスク取り付け時に発生するディスク３０’のがたつき（ディスク取り付けがた）をＤ、ＴＯＣ情報１回分の長さをＥと仮定すると、
Ａ／２−Ｅ＞Ｂ＋Ｃ＋Ｄ
が保証され、ＴＯＣ領域のセンター付近にピックアップ１を止めることができれば、確実にＴＯＣ情報をリトライなしに読み出すことができ、ディスク３０’の立ち上げ時間を早めることが可能となる。
【０１０３】
上記送り制御によれば、リードインスイッチ２１の取り付け位置のばらつき以外にも、ディスク３０’の偏心ばらつき、ディスクチャッキングのばらつきをも吸収することができ、正確にＴＯＣ領域内の所定目標アドレスにピックアップ１を移動し、ＴＯＣ情報を読み出すことができるため、ディスク３０’の立ち上げ時間を早めることができる。
【０１０４】
ところで、当該ディスク再生装置の電源切断時の状況によっては、電源再投入時に、ピックアップ１の位置が、リードインスイッチがＯＮされている場合に、上記ディスク３０’の内周または外周のＴＯＣ領域外にいる場合が考えられる。この場合、特に、ピックアップ１が、内周ミラー領域３２あるいは外周ミラー領域３６に位置する場合、当該ディスク再生装置の立ち上げに支障をきたす虞れがある。また、ＴＯＣ領域への正確な移動を行うためには、リードインスイッチ２１がＯＮとなった時点を基準位置として移動を行う必要がある。このため、このような場合、ピックアップ１を、一旦、リードイン領域３３の外に移動する必要がある。
【０１０５】
そこで、本実施の形態にかかるディスク再生装置では、前記制御用マイコン１５により、当該ディスク再生装置の電源再投入時に、上記リードインスイッチ２１が最初からＯＮになっていた場合、上記ピックアップ１を、一旦、上記リードインスイッチ２１がＯＦＦになるまで上記ディスク３０のリードイン領域３３外、この場合は、ディスク３０の外周側に一定時間送り、上記リードインスイッチ２１がＯＦＦになったことを確認した後、上記移動方向と逆方向、つまり、ディスク３０’の内周側に送るようにスレッドモータ４によるピックアップ１の移動を制御している。
【０１０６】
このように、当該ディスク再生装置の電源再投入時に、上記リードインスイッチ２１が最初からＯＮになっていた場合、上記ピックアップ１を、一旦、リードイン領域３３の外に移動し、上記リードインスイッチ２１がＯＦＦになったことを確認した後、上記移動方向と逆方向に送ることで、前述した方法により、ＴＯＣ領域にピックアップ１を確実かつ正確に移動させることができ、当該ディスク再生装置を最適に立ち上げることが可能となる。
【０１０７】
なお、本実施の形態では、ＴＯＣ領域、すなわち、リードイン領域３３がディスク３０’の内周側に設けられている構成としたため、当該ディスク再生装置の電源再投入時に、上記リードインスイッチ２１が最初からＯＮになっていた場合、上記ピックアップ１を、一旦、ディスク３０’の外周側に一定時間送り、上記リードインスイッチ２１がＯＦＦになったことを確認した後、ディスク３０’の内周側に送る構成としたが、ＴＯＣ領域がディスク外周側に設けられている場合は、この逆の操作、つまり、上記ピックアップ１を、一旦、ディスク３０’の内周側に一定時間送り、上記リードインスイッチ２１がＯＦＦになったことを確認した後、ディスク３０’の外周側に送る操作が行われる。
【０１０８】
つまり、本実施の形態では、ＴＯＣ領域は、ディスク３０・３０’の内周部、具体的には、ディスク３０・３０’の最内周に設けられた内周ミラー領域３２の外周側に設けられたリードイン領域３３に形成されている構成とし、その外周側にメイン情報領域３４が設けられている構成としたが、上記ＴＯＣ領域の位置は、これに限定されるものではなく、ディスク３０・３０’の外周側に設けられた構成としてもよい。
【０１０９】
以上のように、本実施の形態にかかるディスク再生装置は、内周部または外周部にＴＯＣ情報が記録されているＴＯＣ領域と、該ＴＯＣ領域の外周部または内周部にメインデータ情報が記録されているメイン情報領域とを有するディスクを再生するディスク再生装置において、上記ディスクに記録された情報を読み取るピックアップと、上記ディスクのＴＯＣ領域に近接して設けられ、上記ピックアップの移動によりＯＮ／ＯＦＦされるリードインスイッチと、上記ピックアップを上記ディスクの径方向に移動させる、ピックアップ移動手段としてのスレッドモータと、上記ピックアップの移動量に応じてパルスを発生させるパルス発生手段としてのホール素子と、上記ホール素子により発生されたパルス数をカウントするカウント手段としての速度・移動距離演算回路と、当該ディスク再生装置にディスクが装着されたときに、上記ピックアップがディスクの内周または外周方向へ移動するように、上記ピックアップ移動手段を制御する制御手段としての制御回路（制御用マイコン）、例えば制御用マイコンを備えた制御回路とを有し、上記制御手段（制御用マイコン）は、上記ピックアップの移動により、予め設定されたＴＯＣ領域内の目標アドレスに到達するように、上記リードインスイッチがＯＮになってから所定パルス数カウントした後、上記スレッドモータの動作を停止させ、上記ピックアップによりこの位置でのディスク上のアドレス情報を読み取らせ、この読み取ったアドレス情報と予め設定されたＴＯＣ領域内の目標アドレス情報との差を演算し、この差分をパルス数に換算し、該換算により得られた第１差分パルス数を、上記リードインスイッチがＯＮになってからカウントされた所定パルス数に加減算して、リードインスイッチがＯＮになってから目標アドレス（所定目標アドレス）に到達するまでに必要とする移動パルス数を求め、次回の電源再投入時からはこの移動パルス数を使用し、電源再投入時に、リードインスイッチがＯＮになってからこの移動パルス数分だけ上記ピックアップが上記ディスクの内周または外周方向に移動するように、上記スレッドモータを制御している。
【０１１０】
また、上記ディスク再生装置は、不揮発性メモリを備え、上記ディスクが規格基準のものであるときに、上記第１の差分パルス数を保持することができるようになっている。
【０１１１】
そして、上記ディスク再生装置は、上記制御手段により、当該ディスク再生装置の電源再投入時に、上記リードインスイッチが最初からＯＮになっていた場合には、上記ピックアップを、一旦、上記リードインスイッチがＯＦＦになるまで上記ディスクの内周または外周方向に一定時間送り、上記リードインスイッチがＯＦＦになったことを確認した後、上記移動方向と逆方向に送るように上記スレッドモータによるピックアップの移動が制御されている。
【０１１２】
上記ディスク再生装置によれば、上記リードインスイッチがＯＮした位置を基準とて、所定の目標アドレスに到達するまでに必要とされるピックアップの移動量を補正し、ＴＯＣ領域内の所定の目標アドレスに確実かつ正確に上記ピックアップを移動させることができるため、上述したように、当該ディスク再生装置の組み立て作業に要する時間と立ち上げに要する時間との両方を共に短縮することができ、しかも、記録データを消す虞れがなく、また、１回でＴＯＣ情報の読み取りを行うことができる。
【０１１３】
上記ディスク再生装置は、当該ディスク再生装置に新たなディスクが装着され、該ディスクを再生する際に、当該ディスク再生装置の電源が投入されると、上記制御手段により、上記不揮発性メモリに保持された第１の差分パルス数を読み出し、この第１の差分パルス数をもとに、上記リードインスイッチがＯＮになってから上記第１の差分パルス数に上記所定パルス数を加えたパルス数分だけ上記スレッドモータにより上記ピックアップを移動した後、上記スレッドモータの動作を停止させ、上記ピックアップによりこの位置でのディスク上のアドレス情報を読み取らせ、この読み取ったアドレス情報と予め設定されたＴＯＣ領域内の目標アドレス情報との差を演算し、この差分をパルス数に換算して第２の差分パルス数を求め、この第２の差分パルス数を、上記ディスクが取り出されるまで保持し、このディスクを用いた次回の電源再投入時からこのディスクの移動を、上記第１の差分パルス数と上記第２の差分パルス数とを使用して制御するようになっている。
【０１１４】
この場合のピックアップの送り制御としては、当該ディスク再生装置の電源再投入時に、上記スレッドモータにより、上記ピックアップを、上記リードインスイッチがＯＮになってから第１の差分パルス数分カウントする間は一定速度で送り、その後、上記ピックアップが目標アドレスに到達するまでの所定パルス数分カウントする間は上記ピックアップ移動手段の出力を少しづつ下げ、上記ピックアップが目標アドレスにて正確に停止するように上記スレッドモータの出力を制御するか、あるいは、当該ディスク再生装置の電源再投入時に、上記スレッドモータにより、上記ピックアップを、上記リードインスイッチがＯＮになってから第１の差分パルス数に第２の差分パルス数を加えたパルス数分カウントする間は一定速度で送り、その後、上記ピックアップが目標アドレスに到達するまでの所定パルス数分カウントする間は上記ピックアップ移動手段の出力を少しづつ下げ、上記ピックアップが目標アドレスにて正確に停止するように上記スレッドモータの出力を制御する方法が好適に用いられる。この場合、上記スレッドモータの出力を下げるときに、該スレッドモータの出力を、上記パルス発生手段としてのホール素子が発生するパルスに同期させて下げることで、目標アドレスでピックアップを停止させるために急激なブレーキをかけないですむため、消費電力を削減することができる。
【０１１５】
以上のように、上記ディスク再生装置によれば、当該ディスク再生装置に装着されたディスク自身のＴＯＣ領域へのピックアップの移動を確実かつ最適に行うことが可能であり、ＴＯＣ領域内の目標アドレスに、上記ピックアップを正確かつ早く移動させることができる。
【０１１６】
【発明の効果】
本発明にかかるディスク再生装置は、以上のように、内周部または外周部にＴＯＣ情報が記録されているＴＯＣ領域と、該ＴＯＣ領域の外周部または内周部にメインデータ情報が記録されているデータ領域とを有するディスクを再生するディスク再生装置において、上記ディスクに記録された情報を読み取るピックアップと、上記ディスクのＴＯＣ領域に近接して設けられ、上記ピックアップの移動によりＯＮ／ＯＦＦされるリードインスイッチと、上記ピックアップを上記ディスクの径方向に移動させるピックアップ移動手段と、上記ピックアップの移動量に応じてパルスを発生させるパルス発生手段と、上記パルス発生手段により発生されたパルス数をカウントするカウント手段と、当該ディスク再生装置にディスクが装着されたときに、上記ピックアップがディスクの内周または外周方向へ移動するように、上記ピックアップ移動手段を制御する制御手段とを有し、上記制御手段は、上記リードインスイッチがＯＮになってから所定パルス数カウントした後、上記ピックアップ移動手段の動作を停止させ、上記ピックアップによりこの位置でのディスク上のアドレス情報を読み取らせ、この読み取ったアドレス情報と予め設定されたＴＯＣ領域内の目標アドレス情報との差を演算し、この差分をパルス数に換算し、該換算により得られた第１の差分パルス数を、上記リードインスイッチがＯＮになってからカウントされた所定パルス数に加減算して、リードインスイッチがＯＮになってから目標アドレスに到達するまでに必要とするパルス数を求め、次回の電源再投入時からはこのパルス数を使用し、電源再投入時に、リードインスイッチがＯＮになってからこのパルス数分だけ上記ピックアップが上記ディスクの内周または外周方向に移動するように、上記ピックアップ移動手段を制御する構成である。
【０１１７】
それゆえ、上記リードインスイッチがＯＮになってから目標アドレスに到達するまでに必要とする正確なパルス数を求めることができるので、リードインスイッチの取り付け誤差やディスクの偏芯ばらつき、ディスクチャッキングのばらつき等を吸収することができる。このため、当該ディスク再生装置の立ち上げ時に、リードインスイッチの取り付け位置は補正されたに等しい状態にあり、ピックアップを確実にＴＯＣ領域内の目標アドレスに移動させることができるので、ＴＯＣ情報を直ちに読み出すことが可能となり、当該ディスク再生装置の立ち上げ時間を短縮することができる。
【０１１８】
また、所定温度以上になると記録データを消してしまうようなディスクにおいて、ＴＯＣ領域はデータを消すことがない領域であり、ディスク起動時やディスク再生装置が異常状態になったときに再立ち上げする際には必ずＴＯＣ領域から立ち上げることが必要であるが、上記ディスク再生装置は、このＴＯＣ領域に短時間で確実に移動することができるため、超解像層が設けられているようなディスクにおいても、記録データを消すことなく、ＴＯＣ情報を直ちに読むことが可能となり、当該ディスク再生装置立ち上げ時間を短縮することが可能である。
【０１１９】
しかも、上記の構成によれば、当該ディスク再生装置の立ち上げ時に、リードインスイッチの取り付け位置は補正されたに等しい状態にあり、ピックアップを確実にＴＯＣ領域内の目標アドレスに移動させることができるので、リードインスイッチの取り付け位置の精密な調整を必要とせず、組み立て作業に要する時間の短縮を行うことができる。
【０１２０】
したがって、上記の構成によれば、当該ディスク再生装置の組み立て作業に要する時間と立ち上げに要する時間との両方を共に短縮することができ、しかも、記録データを消す虞れがなく、また、１回でＴＯＣ情報の読み取りを行うことができるディスク再生装置を提供することができるという効果を奏する。
【０１２１】
また、本発明にかかるディスク再生装置は、以上のように、上記制御手段は、当該ディスク再生装置の電源再投入時に、上記リードインスイッチが最初からＯＮになっていた場合、上記ピックアップを、一旦、上記リードインスイッチがＯＦＦになるまで上記ディスクの内周または外周方向に一定時間送り、上記リードインスイッチがＯＦＦになったことを確認した後、上記移動方向と逆方向に送るように上記ピックアップ移動手段を制御する構成である。
【０１２２】
それゆえ、ピックアップを一旦、リードイン領域外に移動し、上記リードインスイッチがＯＦＦになったことを確認した後、上記移動方向と逆方向に送ることで、前述した方法により、当該ディスク再生装置を最適に立ち上げることができるという効果を奏する。
【０１２３】
また、本発明にかかるディスク再生装置は、以上のように、不揮発性メモリをさらに備え、該不揮発性メモリは、上記ディスクが規格基準のものであるときに、上記制御手段により得られた第１の差分パルス数を保持する構成である。
【０１２４】
それゆえ、当該ディスク再生装置を出荷する前に、規格基準のディスクにより上記リードインスイッチの取り付け位置の誤差をアドレス情報から算出し、その移動量をパルスに置き換え、不揮発性メモリに保持することにより、見かけ上、リードインスイッチの取り付け位置を補正したことになり、リードインスイッチの精密な取り付け位置の調整を行わなくても、当該ディスク再生装置の出荷時に、リードインスイッチの取り付け位置が補正されたディスク再生装置を出荷することができるという効果を奏する。
【０１２５】
さらに、本発明にかかるディスク再生装置は、以上のように、上記制御手段は、当該ディスク再生装置に新たなディスクが装着され、該ディスクを再生する際に、当該ディスク再生装置の電源が投入されると、上記不揮発性メモリに保持された第１の差分パルス数を読み出し、この第１の差分パルス数をもとに、上記リードインスイッチがＯＮになってから上記第１の差分パルス数に上記所定パルス数を加えたパルス数分だけ上記ピックアップ移動手段により上記ピックアップを移動した後、上記ピックアップ移動手段の動作を停止させ、上記ピックアップによりこの位置でのディスク上のアドレス情報を読み取らせ、この読み取ったアドレス情報と予め設定されたＴＯＣ領域内の目標アドレス情報との差を演算し、この差分をパルス数に換算して第２の差分パルス数を求め、この第２の差分パルス数を、上記ディスクが取り出されるまで保持し、このディスクを用いた次回の電源再投入時からこのディスクの移動を、上記第１の差分パルス数と上記第２の差分パルス数とを使用して制御する構成である。
【０１２６】
それゆえ、上記第１および第２の差分パルス数を補正データとして使用することにより、当該ディスク再生装置に装着されたディスク自身のＴＯＣ領域へのピックアップの移動を確実かつ最適に行うことが可能となるという効果を奏する。特に、規格外のディスク等を再生する場合であっても、ＴＯＣ領域にピックアップを確実に移動することができる。
【０１２７】
本発明にかかるディスク再生装置は、以上のように、上記制御手段は、当該ディスク再生装置の電源再投入時に、上記ピックアップ移動手段により、上記ピックアップを、上記リードインスイッチがＯＮになるまで一定速度で送り、リードインスイッチがＯＮになってから目標アドレスに到達するまでの間、上記ピックアップ移動手段の出力を少しづつ下げ、上記ピックアップが目標アドレスにて正確に停止するように上記ピックアップ移動手段の出力を制御する構成である。
【０１２８】
それゆえ、上記ピックアップを、ＴＯＣ領域内の目標アドレスにて正確に停止させることができるという効果を奏する。
【０１２９】
本発明にかかるディスク再生装置は、以上のように、上記制御手段は、当該ディスク再生装置の電源再投入時に、上記ピックアップ移動手段により、上記ピックアップを、上記リードインスイッチがＯＮになってから第１の差分パルス数分カウントする間は一定速度で送り、その後、上記ピックアップが目標アドレスに到達するまでの所定パルス数分カウントする間は上記ピックアップ移動手段の出力を少しづつ下げ、上記ピックアップが目標アドレスにて正確に停止するように上記ピックアップ移動手段の出力を制御する構成である。
【０１３０】
それゆえ、上記ピックアップを、ＴＯＣ領域内の目標アドレスに正確かつ早く停止させることができるという効果を奏する。
【０１３１】
本発明にかかるディスク再生装置は、以上のように、上記制御手段は、当該ディスク再生装置の電源再投入時に、上記ピックアップ移動手段により、上記ピックアップを、上記リードインスイッチがＯＮになってから第１の差分パルス数に第２の差分パルス数を加えたパルス数分カウントする間は一定速度で送り、その後、上記ピックアップが目標アドレスに到達するまでの所定パルス数分カウントする間は上記ピックアップ移動手段の出力を少しづつ下げ、上記ピックアップが目標アドレスにて正確に停止するように上記ピックアップ移動手段の出力を制御する構成である。
【０１３２】
それゆえ、上記ピックアップを、ＴＯＣ領域内の目標アドレスに正確かつより早く停止させることができるという効果を奏する。
【０１３３】
本発明にかかるディスク再生装置は、以上のように、上記制御手段は、上記ピックアップ移動手段の出力を下げるときに、上記ピックアップ移動手段の出力を、上記パルス発生手段が発生するパルスに同期させて下げる構成である。
【０１３４】
それゆえ、目標アドレスでピックアップを停止させるために急激なブレーキをかけないですむため、消費電力を削減することができるという効果を奏する。
【図面の簡単な説明】
【図１】本発明の一実施の形態にかかるディスク再生装置の概略構成を示すブロック図である。
【図２】図１に示すディスクの構成を示す平面図である。
【図３】図１のディスク再生装置の送り制御を示す説明図である。
【図４】新たに装着されたディスクの送り制御を示す説明図である。
【図５】新たに装着されたディスクの送り制御を示す他の説明図である。
【図６】リードインスイッチのＯＮ／ＯＦＦの制御を示す説明図である。
【図７】（ａ）・（ｂ）は、リードインスイッチのＯＮ／ＯＦＦの制御を示す他の説明図である。
【図８】従来のディスク再生装置におけるピックアップの動作を示す説明図である。
【図９】従来のディスク再生装置におけるピックアップの動作を示す他の説明図である。
【符号の説明】
１    ピックアップ
１ａ  光遮断部材
２    磁気ヘッド
３    スピンドルモータ
４    スレッドモータ（ピックアップ移動手段）
５ａ  ホール素子（パルス発生手段）
５ｂ  ホール素子（パルス発生手段）
８    速度・移動距離演算回路（カウント手段）
１１    制御回路（制御手段）
１５    制御用マイコン（制御手段）
１６    不揮発性メモリ
２１    リードインスイッチ
３０    ディスク
３０’  ディスク
３３    リードイン領域（ＴＯＣ領域）
３４    メイン情報領域（データ領域）
【図１】
0003589963.tif 000002
【図２】
0003589963.tif 000003
【図３】
0003589963.tif 000004
【図４】
0003589963.tif 000005
【図５】
0003589963.tif 000006
【図６】
0003589963.tif 000007
【図７】
0003589963.tif 000008
【図８】
0003589963.tif 000009
【図９】
0003589963.tif 000010